(57)【要約】【課題】  光の照射に伴う漁獲対象物の忌避行動を利用して、漁具付近に集群した漁獲対象物の群を適正規模に削減する。【解決手段】  水中に漁獲対象物を捕獲する漁具Ｎを設置し、水面または水中に光を照射して光に対して正の走性を有する漁獲対象物を漁具Ｎ付近に集群させ、漁具Ｎ付近に集群した漁獲対象物に漁獲対象物が忌避行動をとる周期の光の点滅を照射して漁獲対象物の群Ｆを分断し、分断された漁獲対象物の一部の群Ｆａを漁具Ｎで捕獲する。【選択図】        図１
2008283906.tif 000002
【特許請求の範囲】
【請求項１】
水中に漁獲対象物を捕獲する漁具を設置し、水面または水中に光を照射して光に対して正の走性を有する漁獲対象物を漁具付近に集群させ、漁具付近に集群した漁獲対象物に漁獲対象物が忌避行動をとる周期の光の点滅を照射して漁獲対象物の群を分断し、分断された漁獲対象物の一部の群を漁具で捕獲する漁獲方法。
【請求項２】
請求項１の漁獲方法において、分断された漁獲対象物の捕獲対象とされない群の移動に漁獲対象物が忌避行動をとる周期の光の点滅の照射を追従させ、分断された漁獲対象物の捕獲対象とされない群を漁具から離れた水域に放逐することを特徴とする漁獲方法。
【請求項３】
水面または水中に光を照射する照明器と、照明器に接続され照明器の照明状態を制御する制御部とを備え、制御部は光に対して正の走性を有する漁獲対象物を集群させる照明状態と漁獲対象物に忌避行動をとらせる周期の点滅の照明状態とが選択可能に設定されている照明装置。
【請求項４】
請求項３の照明装置において、照明器は光の照明方向を変更する照射方向可変機構が付設されていることを特徴とする照明装置。
【発明の詳細な説明】
【技術分野】
【０００１】
本発明は、光の照射を利用して漁獲対象物を捕獲する漁獲方法と、この漁獲方法の光の照射に使用される照明装置とに係る技術分野に属する。
【背景技術】
【０００２】
最近、光を水面，水中に照射して光に対して正の走性を有する漁獲対象物（サンマ，イカ等）を集群させて漁具（漁網，釣仕掛け等）で捕獲する漁獲方法が盛んに行われている。特に、光の照射波長の調整や光の照射領域の切換え技術等の確立によって、漁獲対象物を巧みに漁具に誘導することが可能となったため、漁獲対象物を一挙に大量に捕獲することができるようになってきている。この結果、大量の漁獲対象物が漁網の内部で圧死，損傷したり釣仕掛けを絡まらせる等の不具合が生じてきている。そして、この不具合を解消するには、漁獲対象物の集群を漁具付近で規制することが必要と考えられるようになってきている。
【０００３】
一方、種々の動植物では、特定の周期の光の点滅の照射に対して忌避行動（光の照射域から離れたり、光の照射域に対して一定の距離，角度を確保しようとする行動）をとることが知られている。
【０００４】
従来、動植物の忌避行動を利用する技術としては、例えば、以下に記載のものが知られている。
【特許文献１】特開２００５−２１０９５８号公報  特許文献１には、特定の周期で点滅する発光体を取水口等に設置して、魚類等が取水口等に吸込まれないようにする技術が記載されている。
【発明の開示】
【発明が解決しようとする課題】
【０００５】
特許文献１に係る技術をそのまま漁具付近に集群する漁獲対象物に適用しようとすると、集群そのものが阻害されて群を形成することがなくなってしまうため、漁獲量が減少してしまうという問題点がある。
【０００６】
本発明は、このような問題点を考慮してなされたもので、光の照射に伴う漁獲対象物の忌避行動を利用して漁具付近に集群した漁獲対象物の群を適正規模に削減することのできる漁獲方法と、この漁獲方法の光の照射の使用に好適な照明装置とを提供することを課題とする。
【課題を解決するための手段】
【０００７】
前述の課題を解決するため、本発明に係る漁獲方法は、特許請求の範囲の請求項１，２に記載の手段を採用する。
【０００８】
即ち、請求項１では、水中に漁獲対象物を捕獲する漁具を設置し、水面または水中に光を照射して光に対して正の走性を有する漁獲対象物を漁具付近に集群させ、漁具付近に集群した漁獲対象物に漁獲対象物が忌避行動をとる周期の光の点滅を照射して漁獲対象物の群を分断し、分断された漁獲対象物の一部の群を漁具で捕獲する。
【０００９】
この手段では、漁具付近に一旦集群させた漁獲対象物の群に光の点滅を照射することで、漁獲対象物に忌避行動をとらせて漁獲対象物の群を分断し、漁獲対象物の一部の群を捕獲対象とする。
【００１０】
また、請求項２では、請求項１の漁獲方法において、分断された漁獲対象物の捕獲対象とされない群の移動に漁獲対象物が忌避行動をとる周期の光の点滅の照射を追従させ、分断された漁獲対象物の捕獲対象とされない群を漁具から離れた水域に放逐することを特徴とする。
【００１１】
この手段では、光の点滅の照射を漁獲対象物の捕獲対象とされない群の移動に追従させることで、漁獲対象物の忌避行動を継続させて漁獲対象物の捕獲対象とされない群を漁具から離し、漁獲対象物の捕獲対象とされない群と漁獲対象物の捕獲対象とされた群との再集群を阻止する。
【００１２】
前述の課題を解決するため、本発明に係る照明装置は、特許請求の範囲の請求項３，４に記載の手段を採用する。
【００１３】
即ち、請求項３では、水面または水中に光を照射する照明器と、照明器に接続され照明器の照明状態を制御する制御部とを備え、制御部は光に対して正の走性を有する漁獲対象物を集群させる照明状態と漁獲対象物に忌避行動をとらせる周期の点滅の照明状態とが選択可能に設定されている。
【００１４】
この手段では、照明器に制御部を接続することで、漁獲対象物を集群させる照明状態と漁獲対象物に忌避行動をとらせる照明状態とを選択して切換えることができる。
【００１５】
また、請求項４では、請求項３の照明装置において、照明器は光の照明方向を変更する照射方向可変機構が付設されていることを特徴とする。
【００１６】
この手段では、照明器に光の照明方向を変更する照射方向可変機構が付設されることで、漁獲対象物を集群させる誘導を行ったり、漁獲対象物に忌避行動を継続させることができる。
【発明の効果】
【００１７】
本発明に係る漁獲方法は、漁具付近に一旦集群させた漁獲対象物の群に光の点滅を照射することで、漁獲対象物に忌避行動をとらせて漁獲対象物の群を分断し、漁獲対象物の一部の群を捕獲対象とするため、光の照射に伴う漁獲対象物の忌避行動を利用して漁具付近に集群した漁獲対象物の群を適正規模に削減することができる効果がある。
【００１８】
本発明に係る照明装置は、照明器に制御部を接続することで、漁獲対象物を集群させる照明状態と漁獲対象物に忌避行動をとらせる照明状態とを選択して切換えることができるため、１つの照明器に２つの機能を備えて構造を簡素化することができる効果がある。
【発明を実施するための最良の形態】
【００１９】
以下、本発明に係る漁獲方法および照明装置を実施するための最良の形態を図面に基づいて説明する。
【００２０】
図１〜図４は、本発明に係る漁獲方法および照明装置を実施するための最良の形態の第１例を示すものである。
【００２１】
第１例では、サンマ漁へ適用されるものを示してある。
【００２２】
第１例は、漁船Ｓに設備された照明器１，照射方向可変機構２，制御部３からなる照明装置を使用して、漁獲対象物であるサンマ（Pacific Saury）を捕獲するものである。
【００２３】
漁船Ｓには、図１に示すように、サンマを捕獲する漁具としての漁網である棒受網（Stick Held Net）Ｎが設備されている。
【００２４】
棒受網Ｎは、海中にＵ字形に張設される網本体Ｎａの沖合側の端部に向竹Ｎｂが掛渡され舷側の端部に引上綱Ｎｃが連結されたもので、向竹Ｎｂと舷側との間に張設した張出竹Ｎｄ（張出綱）と引上綱Ｎｃとを引寄せ，引上げることで、網本体Ｎａを海面の舷側側に手繰寄せて（必要に応じて、フィッシュポンプ等を使用する）サンマを捕獲するものである。
【００２５】
照明器１は、スイッチＯＮで直ちに最大光量が得られる発光ダイオード（ＬＥＤ）を多数個配列して光源としたもので、光源が必要な防水，放熱構造を備えたケーシング１１に収容されて漁船Ｓの舷側付近に支持されて沖合側に突出される支持アーム１２に回動可能に取付けられている。この照明器１は、棒受網Ｎの幅方向（漁船Ｓの船首−船尾方向）の両端部と中央部とに合計３基が配置され、海面に光を照射することができるようになっている。なお、漁船Ｓには、この照明器１以外にサンマを集魚するための集魚灯としての各種の照明装置が設備される。
【００２６】
照射方向可変機構２は、照明器１のケーシング１１，支持アーム１２の間に連結されたギア等の回動連係部材２１と、回動連係部材２１を駆動する駆動モータ２２とからなる。この照射方向可変機構２は、照明器１のケーシング１１を支持アーム１２に対して回動（旋回）させ、照明器１による光の照射域を移動させることができるようになっている。
【００２７】
制御部３は、図３に詳細に示されるように、マイクロプロセッサ等の中央制御部３１と、中央制御部３１に接続され各種のデータ等を記憶するハードディスク等の記憶部３２と、中央制御部３１に接続され照射方向可変機構２の駆動モータ２２の駆動を制御する駆動モータドライバ３３と、中央制御部３１に接続され照明器１の光源の照明状態を照明器１の電源部（図示せず）との間で制御する制御回路３４と、中央制御部３１に接続され必要なデータの入力や操作を行う操作入力部３５と、中央制御部３１に接続され中央制御部３１の作業内容等を表示するモニタ部３６とを備えている。記憶部３２には、照明器１の明るさ，波長や照明器１の光の照射方向（照射方向可変機構２の駆動モータ２２の駆動）からなる照明状態を調整する制御内容が記憶されている。記憶部３２に記憶されている制御内容としては、少なくとも、光に対して正の走性を有するサンマを集群させる照明状態と、サンマに忌避行動をとらせる周期の点滅の照明状態とが含まれている。操作入力部３５は、記憶部３２に記憶されている制御内容をモニタ部に３６に表示し、記憶部３２に記憶されている制御内容に必要な修正等を加えて、中央制御部３１に実行を指示することができる。
【００２８】
第１例によると、制御部３によって、照明器１に光に対して正の走性を有するサンマを集群させる照明状態となる集魚灯としての機能とサンマに忌避行動をとらせる周期の点滅の照明状態となる忌避灯としての機能とが備えることができるため、照明器１の構造を簡素化することができる。
【００２９】
第１例によるサンマの捕獲では、図１に示す状態の前に、各種の照明装置の点灯切換えや照明操作によってサンマを漁船Ｓの片側の舷側周りに誘導する。このとき、漁船Ｓの誘導する舷側から海中に棒受網Ｎを張設しておく。そして、図１，図２，図４に示す捕獲操業工程の実行によってサンマを捕獲することになる。
【００３０】
即ち、漁船Ｓの片側の舷側周りに誘導されたサンマは、図１（Ａ），図２（Ａ）に示すように、集群して魚群（群）Ｆを形成して棒受網Ｎに接近する。このとき、照明器１は、光に対して正の走性を有するサンマを集群させる照明状態となっている。図面では、照明器１の光の照射を実線の矢印で示している。
【００３１】
魚群Ｆが適正規模（大量のサンマが棒受網Ｎの内部で圧死，損傷したりする等の不具合が生じない規模）である場合には、そのまま棒受網Ｎの中央部にまで魚群Ｆを誘導して捕獲する。魚群Ｆが適正規模であるか否かについては、捕獲操業作業員の目視または各種検出機器等の使用による検出データの解析に基づいて判断される。
【００３２】
また、魚群Ｆが適正規模を超えている場合には、図１（Ｂ），図２（Ｂ）に示すように、中央部の照明器１を光に対して正の走性を有するサンマを集群させる照明状態とし、両端部の照明器１をサンマに忌避行動をとらせる周期の点滅の照明状態とする。図面では、両端部の照明器１の光の点滅の照射を破線の矢印で示している。
【００３３】
この結果、魚群Ｆの一部のサンマは、両端部の照明器１の光の点滅の照射から忌避行動をとるとともに中央部の照明器１の光の照射に誘導されて、棒受網Ｎの中央部にまで到達する。また、魚群Ｆの他の一部のサンマは、両端部の照明器１の光の点滅の照射から忌避行動をとって、棒受網Ｎから離れていく。即ち、魚群Ｆが分断されることになる。
【００３４】
棒受網Ｎの中央部にまで到達したサンマは、捕獲対象となる魚群Ｆである捕獲魚群Ｆａとなる。分断された捕獲魚群Ｆａは、分断前の魚群Ｆよりも規模が縮小されている。従って、棒受網Ｎで捕獲しても、大量のサンマが棒受網Ｎの内部で圧死，損傷したりする等の不具合が生じることがない。なお、捕獲魚群Ｆａを確実に適正規模にするには、経験則に基づく棒受網Ｎの大きさ等に対応した３基の照明器１の照明状態の微妙な調整が必要である。
【００３５】
棒受網Ｎから離れていったサンマは、捕獲対象とならない魚群Ｆである放逐魚群Ｆｂとなる。分断された放逐魚群Ｆｂについては、図２（Ｃ）に示すように、放逐魚群Ｆｂの移動に両端部の照明器１の光の点滅の照射を追従させることで、棒受網Ｎから遠く離れた海域に放逐（分散状態となりつつ）して捕獲魚群Ｆａとの再集群を阻止することができる。照明器１の光の点滅の照射の追従は、照射方向可変機構２の駆動によって保障され、捕獲操業作業員の目視による手動制御や各種検出機器等の使用による検出データの解析に基づく自動制御が実施される。
【００３６】
図５は、本発明に係る漁獲方法および照明装置を実施するための最良の形態の第２例を示すものである。
【００３７】
第２例では、魚群Ｆが適正規模を超えて棒受網Ｎの中央部に集群してしまった場合（図５（Ａ）参照）の対処が示されている。
【００３８】
第２例は、棒受網Ｎの中央部に集群した魚群Ｆに対して、図５（Ｂ）に示すように、中央部の照明器１を光に対して正の走性を有するサンマを集群させる照明状態とし、両端部の照明器１をサンマに忌避行動をとらせる周期の点滅の照明状態とする。ただし、両端部の照明器１については、照射方向可変機構２によって旋回させて棒受網Ｎの中央部方向へ点滅の光を照射させる。
【００３９】
この結果、第１例と同様に、魚群Ｆが捕獲魚群Ｆａと放逐魚群Ｆｂとに分断されることになる。
【００４０】
放逐魚群Ｆｂについては、第１例と同様に、移動に両端部の照明器１の光の点滅の照射を追従させることで、棒受網Ｎから遠く離れた海域に放逐して捕獲魚群Ｆａとの再集群を阻止する（図５（Ｃ）参照）。
【００４１】
図６は、本発明に係る漁獲方法および照明装置を実施するための最良の形態の第３例を示すものである。
【００４２】
第３例では、第２例の対処の応用例が示されている。
【００４３】
第３例は、棒受網Ｎの中央部に集群した魚群Ｆに対して、図６（Ａ）に示すように、中央部の照明器１をサンマに忌避行動をとらせる周期の点滅の照明状態とし、両端部の照明器１を光に対して正の走性を有するサンマを集群させる照明状態とする。その後、第２例の図５（Ｂ），（Ｃ）に示す操作を行う。
【００４４】
第３例によると、一旦分断された魚群Ｆの一部が再集群することになるが（図６（Ｂ参照））、棒受網Ｎの中央部に集群した魚群Ｆを２つに確実に分断することができる。
【００４５】
図７は、本発明に係る漁獲方法および照明装置を実施するための最良の形態の第４例を示すものである。
【００４６】
第４例では、多数個，多数種類の照明器１を備えてサンマ漁に使用される漁船Ｓが示されている。
【００４７】
第４例は、点灯されている多数個，多数種類の照明器１を右舷の船尾側から順次に消灯させていき、サンマを右舷側から船首を回って左舷側に密に集群するように誘導する漁法に使用されるもので、棒受網Ｎの上方や付近にも多数個，多数種類の照明器１が配置されている。この多数個，多数種類の照明器１については、必要に応じて第１〜３例の中央部，両端部の照明器１として選択操作することになる。
【００４８】
以上、図示した各例の外に、サンマ以外の各種の漁獲対象物に適用することが可能であり、漁具が釣仕掛け等であっても差支えないものである。
【産業上の利用可能性】
【００４９】
本発明に係る漁獲方法および照明装置は、淡水域でも実施することができ、漁船ではなく海岸，防波堤等に設備して実施することも可能である。
【図面の簡単な説明】
【００５０】
【図１】本発明に係る漁獲方法および照明装置を実施するための最良の形態の第１例の斜視図であり、（Ａ），（Ｂ）の順に捕獲操業工程が示されている。
【図２】図１の簡略化した側面図であり、（Ａ）〜（Ｃ）の順に捕獲操業工程が示されている。
【図３】図１に設備される要部の制御ブロック図である。
【図４】図１，図２の捕獲操業工程のフローチャートである。
【図５】本発明に係る漁獲方法および照明装置を実施するための最良の形態の第２例の側面図であり、（Ａ）〜（Ｃ）の順に捕獲操業工程が示されている。
【図６】本発明に係る漁獲方法および照明装置を実施するための最良の形態の第３例の側面図であり、（Ａ）〜（Ｃ）の順に捕獲操業工程が示されている。
【図７】本発明に係る漁獲方法および照明装置を実施するための最良の形態の第４例の平面図である。
【符号の説明】
【００５１】
１            照明器
２            照射方向可変機構
３            制御部
Ｆ            魚群（群）
Ｆａ          捕獲魚群（捕獲対象とされる群）
Ｆｂ          放逐魚群（捕獲対象とされない群）
Ｎ            棒受網（漁具，漁網）
Ｓ            漁船
【図１】
2008283906.tif 000003
【図２】
2008283906.tif 000004
【図３】
2008283906.tif 000005
【図４】
2008283906.tif 000006
【図５】
2008283906.tif 000007
【図６】
2008283906.tif 000008
【図７】
2008283906.tif 000009